(57)【要約】      （修正有）【課題】現像剤収容体とシャッタ部材との間からのトナーの漏れを抑制することができる画像形成装置を提供する。【解決手段】現像剤を内部に収容するとともに、現像剤を外部に排出するトナー供給口２５および側面に形成されたシャッター挿入口２６を有する現像剤収容体２１と、トナー供給口を開閉可能なシャッタ２２とを有する現像剤収容器１であって、前記シャッタ２２は、トナー供給口を通って前記現像剤収容体内に収容される本体部２２ａと、シャッター挿入口から外部に突出するレバー取り付け部２２ｂと、本体部とレバー取り付け部とを接続する段差部２７とを備え、レバー取り付け部に、端部から前記接続部に延びる複数のリブ３２を周設した。【選択図】図２
2014115570.tif 000002
【特許請求の範囲】
【請求項１】
現像剤を内部に収容するとともに、現像剤を外部に排出する第１の開口および側面に形成された第２の開口を有する現像剤収容体と、前記第１の開口を開閉可能なシャッタ部材とを有する現像剤収容器であって、
前記シャッタ部材は、
前記第２の開口を通って前記現像剤収容体内に収容される本体部と、
前記第２の開口から外部に突出する突出部と、
前記本体部と前記突出部との接続部とを備え、
前記突出部に、端部から前記接続部に延びる複数のリブが周設されていることを特徴とする現像剤収容器。
【請求項２】
請求項１に記載の現像剤収容器において、
前記突出部に周設される前記複数のリブは、等間隔に配設されていることを特徴とする現像剤収容器。
【請求項３】
請求項１に記載の現像剤収容器において、
前記現像剤収容体は、前記第１の開口周辺に円筒形状部を備え、
前記突出部に周設される前記複数のリブは、前記シャッタ部材が前記第１の開口を閉塞する位置において前記円筒形状部に対向する領域の前記リブの間隔が、前記領域以外における前記リブの間隔より、狭くして配設されていることを特徴とする現像剤収容器。
【請求項４】
請求項１から請求項３のいずれか１項に記載の現像剤収容器において、
前記突出部は、前記シャッタ部材を回転させるためのシャッタ操作部材が取り付けられ、
前記シャッタ部材が回転することにより前記第１の開口を開閉することを特徴とする現像剤収容器。
【請求項５】
請求項１から請求項４のいずれか１項に記載の現像剤収容器を備えたことを特徴とする現像装置。
【請求項６】
請求項１から請求項４のいずれか１項に記載の現像剤収容器を備えたことを特徴とする画像形成装置。
【発明の詳細な説明】
【技術分野】
【０００１】
本発明は、現像剤を収容する現像剤収容器、その現像剤収容器を備えた現像装置および画像形成装置に関する。
【背景技術】
【０００２】
従来の現像剤収容器は、現像器に着脱可能になっており、内部に現像剤としてのトナーを収容するためのアウターカートリッジの下面に設けられたトナー供給口を開閉するシャッタを有し、そのシャッタはアウターカートリッジに内設される本体部と、アウターカートリッジから突出するレバー取付け部とにより構成され、本体部のレバー取付け部の近傍にシールスポンジを配設し、アウターカートリッジの内周面に当接させることによりアウターカートリッジとシャッタとの間を遮蔽するようにしているものがある（例えば、特許文献１参照）。
【先行技術文献】
【特許文献】
【０００３】
【特許文献１】特開２０１１−１１８１２１号公報
【発明の概要】
【発明が解決しようとする課題】
【０００４】
しかしながら、従来の技術においては、落下等による強い衝撃がシャッタ部材に加わると、シャッタ部材が変形し、シャッタ部材に配設されたシールスポンジと現像剤収容体としてのアウターカートリッジとの間の遮蔽が弱くなり、アウターカートリッジとシャッタ部材との間からトナーが外部へ漏れてしまうという問題がある。
本発明は、このような問題を解決することを課題とし、現像剤収容体とシャッタ部材との間からのトナーの漏れを抑制することを目的とする。
【課題を解決するための手段】
【０００５】
そのため、本発明は、現像剤を内部に収容するとともに、現像剤を外部に排出する第１の開口および側面に形成された第２の開口を有する現像剤収容体と、前記第１の開口を開閉可能なシャッタ部材とを有する現像剤収容器であって、前記シャッタ部材は、前記第２の開口を通って前記現像剤収容体内に収容される本体部と、前記第２の開口から外部に突出する突出部と、前記本体部と前記突出部との接続部とを備え、前記突出部に、端部から前記接続部に延びる複数のリブが周設されていることを特徴とする。
【発明の効果】
【０００６】
このようにした本発明は、現像剤収容体とシャッタ部材との間からのトナーの漏れを抑制することができるという効果が得られる。
【図面の簡単な説明】
【０００７】
【図１】第１の実施例におけるトナーカートリッジの構成を示す側面図
【図２】第１の実施例におけるトナーカートリッジの構成を示す分解斜視図
【図３】第１の実施例におけるプリンタの構成を示す概略側断面図
【図４】第１の実施例におけるイメージドラムユニットの構成を示す断面図
【図５】第１の実施例におけるレバー取付け部の構成を示す断面図
【図６】第１の実施例におけるレバー取付け部の構成を示す断面図
【図７】第１の実施例におけるレバー取付け部の構成を示す断面図
【図８】第２の実施例におけるトナーカートリッジの構成を示す側面図
【図９】第２の実施例におけるトナーカートリッジの構成を示す分解斜視図
【図１０】第２の実施例におけるレバー取付け部の構成を示す断面図
【発明を実施するための形態】
【０００８】
以下、図面を参照して本発明による現像剤収容器、現像装置および画像形成装置の実施例を説明する。
【実施例１】
【０００９】
図３は第１の実施例におけるプリンタの構成を示す概略側断面図である。
図３において、画像形成装置としてのプリンタ１００は、着脱自在に配設された画像形成ユニットとしてのイメージドラムユニット１０と、露光装置としてのＬＥＤ（Ｌｉｇｈｔ  Ｅｍｉｔｔｉｎｇ  Ｄｉｏｄｅ）ヘッド１７と、用紙を収容する媒体収容部としてのカセット１８と、繰り出し部材としてのホッピングローラ１９と、転写部としての転写ベルトユニット１４と、定着装置としての定着ユニット１５と、排出部材としての排出ローラ１６とにより構成されている。
【００１０】
ホッピングローラ１９の回転により用紙がカセット１８から繰り出されて搬送され、その用紙がイメージドラムユニット１０と転写ベルトユニット１４との間に送られ、イメージドラムユニット１０において現像された現像剤像としてのトナー像が転写ベルトユニット１４において用紙に転写され、定着ユニット１５によりトナー像が用紙に定着される。トナー像が定着された用紙は、排出ローラ１６によりプリンタ１００の外へ排出される。
【００１１】
図４は第１の実施例におけるイメージドラムユニットの構成を示す断面図である。
図４において、イメージドラムユニット１０は、トナーカートリッジ１と、現像器９と、像担持体としての感光体ドラム２と、帯電ローラ３と、現像ローラ４と、供給ローラ５と、現像ブレード６と、現像剤貯蔵室としてのトナー貯蔵室７と、クリーニングブレード８とにより構成されている。
現像剤収容器としてのトナーカートリッジ１は、現像器９に着脱可能に装着され、現像剤としてのトナーを内部に収容する。
【００１２】
帯電部材としての帯電ローラ３は、感光体ドラム２の表面全体を一様に帯電するものである。一様に帯電された感光体ドラム２は、図３に示すＬＥＤヘッド１７により露光されて静電潜像が形成される。
トナー貯蔵室７は、トナーカートリッジ１から供給されたトナーを貯蔵するものである。
現像剤供給部材としての供給ローラ５は、トナー貯蔵室７に貯蔵されたトナーを現像ローラ４に供給するものである。
【００１３】
現像剤担持体としての現像ローラ４は、供給ローラ５により供給されたトナーを感光体ドラム２上に形成された静電潜像に現像するものである。
現像剤規制部材としての現像ブレード６は、現像ローラ４上のトナーを均一に薄層化するものである。
現像剤除去部材としてのクリーニングブレード８は、用紙に転写されず感光体ドラム２の表面に残った転写残トナーを除去するものである。
【００１４】
図１は第１の実施例におけるトナーカートリッジの構成を示す側面図、図２は第１の実施例におけるトナーカートリッジの構成を示す分解斜視図である。
図１および図２において、現像剤収容器としてのトナーカートリッジ１は、トナーカートリッジ１の本体を形成し、トナーを内部に収容する現像剤収容体としてのアウターカートリッジ２１と、トナー供給口２５を開閉可能にするシャッタ部材としてのシャッタ２２と、シャッタ操作部材としてのレバー２３と、キャップ２４と、第１の開口としてのトナー供給口２５と、第２の開口としてのシャッタ挿入口２６と、トナー開放口２８と、トナー遮断部２９と、第１の開口シール部材としてのシール材３０と、第２の開口シール部材としてのシールスポンジ３１と、リブ３２とにより構成されている。
【００１５】
アウターカートリッジ２１は、内部にトナーを収容するトナーカートリッジ１の本体部を形成するものであり、トナー供給口２５の周辺に円筒形状に形成された円筒形状部としての底部２１ａを有している。
トナー供給口２５は、アウターカートリッジ２１の底部２１ａに設けられ、トナーを外部に排出するための開口である。
シャッタ２２は、トナー供給口２５を開閉する筒状のトナー供給口開閉部材であり、本体部２２ａと突出部としてのレバー取付け部２２ｂとにより構成され、その本体部２２ａとレバー取付け部２２ｂとは接続部としての段差部２７により接続されている。
【００１６】
レバー２３は、レバー取付け部２２ｂに取り付けられ、シャッタ２２の開閉動作を行う操作部材であり、円筒部２３ａおよび取っ手部２３ｂで構成されている。
シャッタ挿入口２６は、アウターカートリッジ２１の長手方向における端面（側面）に設けられ、シャッタ２２を挿入するための開口である。シャッタ２２は、シャッタ挿入口２６から挿入されたとき、アウターカートリッジ２１内で回転軸４１を中心として回動可能に構成されている。また、シャッタ２２がシャッタ挿入口２６を通ってアウターカートリッジ２１内に挿入されたとき、シャッタ２２の本体部２２ａはアウターカートリッジ２１内に収容され、レバー取り付け部２２ｂはアウターカートリッジ２１のシャッタ挿入口２６から外部に突出し、露出する。
【００１７】
トナー開放口２８は、アウターカートリッジ２１のトナー供給口２５を開放する開口部である。
トナー遮断部２９は、トナー開放口２８に隣接して形成され、アウターカートリッジ２１のトナー供給口２５を閉鎖する壁部である。
シール材３０は、トナー遮断部２９に両面接着テープ等により接着固定された遮蔽部材である。
【００１８】
シールスポンジ３１は、段差部２７の近傍であり、シャッタ２２の本体部２２ａの全周に亘って設けられ、両面接着テープ等により接着固定されたものであり、トナーカートリッジ１内のトナーの漏れを防止する。
リブ３２は、レバー取り付け部２２ｂのベース面２２ｂｓ表面の全周に亘って所定の間隔を保持して等間隔で複数周設され、段差部２７に接続しているものである。リブ３２上には、レバー２３を固定するための突起３３が形成されている。
【００１９】
レバー２３の円筒部２３ａの内側には、シャッタ２２のレバー取り付け部２２ｂの突起３３と対向する位置に固定孔３５が設けられている。
キャップ２４は、シャッタ２２の端部に設けられたトナー充填口３４を閉鎖する封止部材である。
このように構成されたトナーカートリッジ１は、レバー２３を操作することによりシャッタ２２がアウターカートリッジ２１内で回転し、シール材３０およびトナー開放口２８でトナー供給口２５を開閉する。
【００２０】
図５および図６は第１の実施例におけるレバー取付け部の構成を示す断面図であり、図５は図２における回転軸４１方向に伸びる平面で切断したときのレバー取付け部の断面図であり、図６は図２における回転軸４１に直交する平面で切断したときのレバー取付け部の断面図である。なお、図５および図６に示すレバー取り付け部２２ｂの図中矢印Ｂが示す方向には、図２に示すシール材３０が配置される。
【００２１】
図５および図６において、筒状のレバー取り付け部２２ｂは、段差部２７で本体部２２ａと接続されている。レバー取り付け部２２ｂの外周面のベース面２２ｂｓには、ベース面２２ｂｓから突出し、図５に示すようにレバー取り付け部２２ｂの端部から段差部２７に連続するように回転軸４１方向に伸びる複数のリブ３２が、図６に示すようにレバー取り付け部２２ｂの周方向において所定の間隔を保持して等間隔で形成されている。
本実施例において、リブ３２は、例えば図６に示すように、レバー取り付け部２２ｂのベース面２２ｂｓに８本形成されているものとし、また図５に示すように、それぞれのリブ３２のベース面２２ｂｓからの突出量Ｔが２ｍｍとなるように形成されているものとする。
【００２２】
上述した構成の作用について説明する。
トナーカートリッジの作用を図２に基づいて説明する。
シャッタ２２を図中矢印Ａが示す方向にシャッタ挿入口２６からアウターカートリッジ２１に装着すると、シャッタ２２の本体部２２ａはアウターカートリッジ２１に内設され、レバー取り付け部２２ｂはアウターカートリッジ２１のシャッタ挿入口２６より突出した位置に配設される。
【００２３】
このとき、シャッタ２２のトナー遮断部２９に配設されたシール材３０によりアウターカートリッジ２１のトナー供給口２５が封止される。また、シャッタ２２の段差部２７の近傍であり、本体部２２ａに配設されたシールスポンジ３１の外周面とアウターカートリッジ２１のシャッタ挿入口２６の内側の内周面とが当接し、シャッタ挿入口２６が封止される。
レバー２３とシャッタ２２の円周方向の位置は、レバー２３の円筒部２３ａの内周面と、シャッタ２２のレバー取り付け部２２ｂに周設された複数のリブ３２の外周面とが当接することで決定される。また、レバー２３とシャッタ２２の軸方向の位置は、レバー２３をシャッタ２２の段差部２７に突き当てることで決定される。
【００２４】
さらに、レバー２３の固定孔３５と、シャッタ２２のリブ３２上に配設された突起３３が嵌合し、レバー２３とシャッタ２２とが固定される。シャッタ２２のトナー充填口３４は、キャップ２４を嵌合することにより封止される。
トナーカートリッジ１では、シャッタ２２のレバー取り付け部２２ｂに複数のリブ３２が等間隔に周設されているため、レバー取り付け部２２ｂの剛性が高くなる。また、複数のリブ３２が段差部２７に接続しているため、段差部２７の近傍の剛性も高くなる。
【００２５】
したがって、落下等による強い衝撃がトナーカートリッジ１のシャッタ２２に加わるとき、シャッタ２２のレバー取り付け部２２ｂに等間隔に周設された複数のリブ３２によりシャッタ２２の段差部２７の近傍の変形を抑えることができる。
トナーカートリッジ１のシャッタ２２のレバー取り付け部２２ｂは、アウターカートリッジ２１から突出しているため、外部からの衝撃が加わりやすく、そのため、本実施例では、レバー取り付け部２２ｂに複数のリブ３２を等間隔に周設し、レバー取り付け部２２ｂの剛性を高くしている。
【００２６】
図７に示すように、図中矢印αが示す方向からトナーカートリッジ１のシャッタ２２のレバー取り付け部２２ｂに衝撃が加わると、リブ３２が設けられていないシャッタ２２はレバー取り付け部２２ｂの剛性が低いため段差部２７の近傍で変形してしまい、円筒状のシャッタ２２とアウターカートリッジ２１との間に隙間が生じ、トナーカートリッジ１内のトナーが外部に漏れてしまっていたが、本実施例では、シャッタ２２のレバー取り付け部２２ｂに複数のリブ３２を等間隔に周設したことにより、シャッタ２２の変形を抑え、トナーカートリッジ１内のトナーの漏れを防止することができる。
【００２７】
以上説明したように、第１の実施例では、トナーカートリッジにおけるシャッタのレバー取り付け部に複数のリブを等間隔に周設したことにより、レバー取り付け部の剛性を円周全方向において均等に高めることができ、また複数のリブを段差部に接続させたことにより、段差部近傍のレバー取り付け部の剛性を高めることができ、シャッタに強い衝撃が加わった場合であっても、シャッタの変形を抑制し、シャッタに配設されたシールスポンジのアウターカートリッジのシャッタ挿入口の内側の内周面の当接力を落とすことなく遮蔽することができ、アウターカートリッジとシャッタとの間からのトナーの漏れを抑制することができるという効果が得られる。
【実施例２】
【００２８】
第２の実施例の構成は、シャッタのレバー取り付け部の構成が第１の実施例と異なっている。その第２の実施例の構成を図８の第２の実施例におけるトナーカートリッジの構成を示す側面図、図９の第２の実施例におけるトナーカートリッジの構成を示す分解斜視図に基づいて説明する。なお、上述した第１の実施例と同様の部分は、同一の符号を付してその説明を省略する。
【００２９】
図８および図９において、トナーカートリッジ１０１は、トナーカートリッジ１０１の本体部としてのアウターカートリッジ２１と、開閉部材としてのシャッタ１２２と、レバー２３と、キャップ２４と、第１の開口としてのトナー供給口２５と、第２の開口としてのシャッタ挿入口２６と、トナー開放口２８と、トナー遮断部２９と、シール材３０と、シールスポンジ３１と、リブ１３２とにより構成されている。
シャッタ１２２は、トナー供給口２５を開閉する筒状のトナー供給口開閉部材であり、本体部１２２ａとレバー取付け部１２２ｂとにより構成され、段差部２７により接続されている。
【００３０】
リブ１３２は、レバー取り付け部１２２ｂの全周に亘って所定の間隔を保持して周設され、段差部２７に接続しているものである。リブ１３２上には、レバー２３を固定するための突起３３が形成されている。本実施例のリブ１３２は、シャッタ１２２がトナー供給口２５を閉塞する位置においてアウターカートリッジ２１の円筒形状の底部２１ａに対向する領域では複数の隣り合うリブ１３２の間隔が、底部２１ａに対向する領域以外の領域における複数の隣り合うリブ１３２の間隔より、狭くなるように配設されている。
【００３１】
図１０は第２の実施例におけるレバー取付け部の構成を示す断面図であり、図９における回転軸４１に直交する平面で切断したときのレバー取付け部の断面図である。なお、図１０に示すレバー取り付け部１２２ｂの図中矢印Ｂが示す方向には、図９に示すシール材３０が配置される。
図１０において、筒状のレバー取り付け部１２２ｂは、段差部２７で図９に示す本体部１２２ａと接続されている。レバー取り付け部１２２ｂの外周面のベース面１２２ｂｓには、ベース面１２２ｂｓから突出し、レバー取り付け部１２２ｂの端部から段差部２７に連続するように図９に示す回転軸４１方向に伸びる複数のリブ１３２が、レバー取り付け部１２２ｂの周方向において所定の間隔を保持して形成されている。
【００３２】
リブ１３２は、図中矢印Ｂが示す方向、すなわち図９に示すトナー供給口２５やシール材３０が配置される方向の領域１２２ｄにおける密度が、矢印Ｃが示す方向（図中矢印Ｂが示す方向と反対の方向）の領域１２２ｃにおける密度と比較し、高くなるように配置されている。
【００３３】
本実施例において、リブ１３２は、例えば図１０に示すように、レバー取り付け部１２２ｂのベース面１２２ｂｓに１２本形成され、図中矢印Ｂが示す方向、すなわち図９に示すトナー供給口２５やシール材３０が配置される方向の領域１２２ｄ（アウターカートリッジ２１の円筒形状の底部２１ａに対向する領域）における密度が、矢印Ｃが示す方向の領域１２２ｃ（アウターカートリッジ２１の円筒形状の底部２１ａに対向する領域以外の領域）における密度と比較し、高く（約２倍）なるように形成されているものとし、また第１の実施例と同様に、それぞれのリブ１３２のベース面１２２ｂｓからの突出量Ｔが２ｍｍとなるように形成されているものとする。
【００３４】
上述した構成の作用について説明する。
トナーカートリッジの作用を図９に基づいて説明する。
シャッタ１２２を図中矢印Ａが示す方向にシャッタ挿入口２６からアウターカートリッジ２１に装着すると、シャッタ１２２の本体部１２２ａはアウターカートリッジ２１に内設され、レバー取り付け部１２２ｂはアウターカートリッジ２１のシャッタ挿入口２６より突出した位置に配設される。
【００３５】
このとき、シャッタ１２２のトナー遮断部２９に配設されたシール材３０によりアウターカートリッジ２１のトナー供給口２５が封止される。また、シャッタ１２２の段差部２７の近傍であり、本体部１２２ａに配設されたシールスポンジ３１の外周面とアウターカートリッジ２１のシャッタ挿入口２６の内側の内周面とが当接し、シャッタ挿入口２６が封止される。
レバー２３とシャッタ１２２の円周方向の位置は、レバー２３の円筒部２３ａの内周面と、シャッタ１２２のレバー取り付け部１２２ｂに周設された複数のリブ１３２の外周面とが当接することで決定される。また、レバー２３とシャッタ１２２の軸方向の位置は、レバー２３をシャッタ１２２の段差部２７に突き当てることで決定される。
【００３６】
さらに、レバー２３の固定孔３５と、シャッタ１２２のリブ１３２上に配設された突起３３が嵌合し、レバー２３とシャッタ１２２とが固定される。シャッタ１２２のトナー充填口３４は、キャップ２４を嵌合することにより封止される。
トナーカートリッジ１０１では、シャッタ１２２のレバー取り付け部１２２ｂに複数のリブ１３２が所定の間隔を保持して周設されているため、レバー取り付け部１２２ｂの剛性が高くなる。また、複数のリブ１３２が段差部２７に接続しているため、段差部２７の近傍の剛性も高くなる。
【００３７】
さらに、アウターカートリッジ２１の円筒形状の底部２１ａに対向する領域、すなわちトナー供給口２５に対応する領域では複数のリブ１３２の間隔を狭くして配設することにより、底部２１ａ側のレバー取り付け部１２２ｂの剛性がさらに高くなる。また、底部２１ａ側の段差部２７の近傍の剛性もさらに高くなる。
【００３８】
したがって、落下等による強い衝撃がトナーカートリッジ１０１に加わるときであって、トナーカートリッジ１０１の上部、かつレバー２３側から斜めに落下した場合、アウターカートリッジ２１の角、またはレバー２３の取っ手部２３ｂの先端が、まずぶつかり衝撃が吸収され、シャッタ１２２に加わる衝撃は小さくなり、レバー取り付け部１２２ｂに周設された複数のリブ１３２によりシャッタ１２２の段差部２７の近傍の変形が抑えられる。
【００３９】
また、トナーカートリッジ１０１の下部、かつレバー２３側から斜めに落下した場合は、レバー２３を介してシャッタ１２２のレバー取り付け部１２２ｂの底部２１ａ側が強い衝撃を受けるが、本実施例では、レバー取り付け部の底部２１ａ側のリブ１３２の間隔を狭くして配設しているのでシャッタ１２２の段差部２７の近傍の変形を抑えることができる。
【００４０】
以上説明したように、第２の実施例では、第１の実施例の効果に加え、より強い衝撃を受ける可能性のあるシャッタのレバー取り付け部における、アウターカートリッジの底部側のリブの間隔を狭くし、密度を高めて配設したことにより、レバー取り付け部全体の剛性および段差部の近傍の剛性をより高めることができ、より強い衝撃がシャッタのレバー取り付け部に加わった場合であっても、シャッタの変形を抑制し、シャッタに配設されたシールスポンジのアウターカートリッジのシャッタ挿入口の内側の内周面の当接力を落とすことなく遮蔽することができ、アウターカートリッジとシャッタとの間からのトナーの漏れを抑制することができるという効果が得られる。
なお、第１の実施例および第２の実施例では、画像形成装置をプリンタとして説明したが、それに限られることなく、画像形成装置を複写機、ファクシミリ装置、またはこれらを組み合わせた複合機（ＭＦＰ）等としても良い。
【符号の説明】
【００４１】
１、１０１  トナーカートリッジ
２    感光体ドラム
３    帯電ローラ
４    現像ローラ
５    供給ローラ
６    現像ブレード
７    トナー貯蔵室
８    クリーニングブレード
１０  イメージドラムユニット
２１  アウターカートリッジ
２２、１２２  シャッタ
２２ａ、１２２ａ  本体部
２２ｂ、１２２ｂ  レバー取付け部
２３  レバー
２３ａ  円筒部
２３ｂ  取っ手部
２４  キャップ
２５  トナー供給口
２６  シャッタ挿入口
２７  段差部
２８  トナー開放口
２９  トナー遮断部
３０  シール材
３１  シールスポンジ
３２、１３２  リブ
３３  突起
３４  トナー充填口
３５  固定孔
１００  プリンタ
【図１】
2014115570.tif 000003
【図２】
2014115570.tif 000004
【図３】
2014115570.tif 000005
【図４】
2014115570.tif 000006
【図５】
2014115570.tif 000007
【図６】
2014115570.tif 000008
【図７】
2014115570.tif 000009
【図８】
2014115570.tif 000010
【図９】
2014115570.tif 000011
【図１０】
2014115570.tif 000012